(57)【要約】      （修正有）【課題】広い天井面積を有する構造物や天井ふところが大きい構造物の振れ止め材において、材料の無駄や効率的な施工の出来る施行システムの提供。【解決手段】天井内にある構造部材６０の底面と対面する面を有する支持部３ａと、その支持部３ａから垂下する振れ止め材取付部３ｂとを有する支持部材３と、振れ止め材取付部３ｂに取り付けられる複数の振れ止め材４とを備え、支持部材３には、支持部３ａに複数の支持長孔３ａ１が、振れ止め材取付部３ｂに複数の取付長孔３ｂ１がそれぞれ適宜間隔で形成されており、支持部３ａの支持長孔３ａ１に係止金物を挿入して構造部材６０に係止して固定し、複数の振れ止め材４は、振れ止め材取付部３ｂの取付長孔３ｂ１の間隔をあけた箇所に、それぞれ振れ止め材４の上端部を固定するとともに、その下端部に、天井面下地材に固定される耐震金具Ａを取り付ける。【選択図】図２
2010190000.tif 000002
【特許請求の範囲】
【請求項１】
軽量鉄骨の天井下地構造における天井振れ止めシステムであって、
天井内にある構造部材の底面と対面する面を有する支持部と、その支持部から垂下する振れ止め材取付部とを有する支持部材と、
前記振れ止め材取付部に取り付けられる複数の振れ止め材とを備え、
前記支持部材には、前記支持部に複数の支持長孔が、前記振れ止め材取付部に複数の取付長孔がそれぞれ適宜間隔で形成されており、
前記支持部の前記支持長孔に係止金物を挿入して前記構造部材に係止して固定し、
前記複数の振れ止め材は、前記振れ止め材取付部の前記取付長孔の間隔をあけた箇所に、それぞれ前記振れ止め材の上端部を固定するとともに、その下端部に、天井面下地材に固定される耐震金具を取り付ける、
ことを特徴とする天井振れ止めシステム。
【発明の詳細な説明】
【技術分野】
【０００１】
この発明は、軽量鉄骨の天井下地構造における天井振れ止めシステムに関するものである。
【背景技術】
【０００２】
一般的な軽量鉄骨による天井の構造としては、特開平６−７３８３１号公報や特開平６−３４６５４７号公報などに記載されたものがある。これら一般的な天井構造は、上階の床スラブや屋根スラブの下面にインサートを埋設しておき、このインサートに吊ボルトなどを螺合して複数本の吊ボルトをスラブ下に吊下げ、この吊ボルトによって野縁受けと、この野縁受けに直交する野縁を吊下げ、野縁の下に天井ボードを固定するものである。
【０００３】
このような天井の構造では、吊ボルトはスラブなどの建造物構造体の下にブラ下がっているだけであり、天井内にブレースはあるものの、全体の振れを止めるほどの強度は想定されていないため、地震時には天井全体が振り子のように振れることになる。特に、例えば集会施設、生産施設、体育館、劇場などの構造物は、広い天井面積を有する構造や天井ふところ（天井内スペース）が大きい構造であり、地震の揺れに同調して天井面が揺れ、振り子のような大きな振れとなると、天井全体の重量が振れる方向へ慣性として作用し、吊ボルトや取付け金具に作用する。
【０００４】
特願２００８−９３５２４号の耐震補強金具では、地震によって天井下地構造に生じる衝撃力に対して斜めブレース（振れ止め）が有効に働き天井下地構造が変位して衝撃力を吸収することができ、天井下地構造の耐震性能を向上させることができるが、広い天井面積を有する構造物や天井ふところが大きい構造物では、そのままでは振れ止め反力が得られる位置まで斜めブレースを延長する必要があり、その分材料断面積が大きなものとなるため材料の無駄が発生して不経済であり、しかも斜めブレースや吊ボルトが天井内に錯綜して埋め尽くされることから、例えば設備配管などの自由な配置が制限される問題があった。
【先行技術文献】
【特許文献】
【０００５】
【特許文献１】特開平６−７３８３１号公報
【特許文献２】特開平６−３４６５４７号公報
【特許文献３】特願２００８−９３５２４号
【発明の概要】
【発明が解決しようとする課題】
【０００６】
この発明が解決しようとする課題は、広い天井面積を有する構造物や天井ふところが大きい構造物の天井内では、ブレースなどの振れ止め材が長くなり、材料の無駄が発生し、しかも振れ止め材や吊ボルトが天井内に多数交差して埋め尽くされるために、設備配管の自由な配置が制限され、耐震対策としての天井振れ止めを効率的に施工することが困難だったことである。
【課題を解決するための手段】
【０００７】
前記課題を解決し、かつ目的を達成するために、この発明は、以下のように構成した。
【０００８】
請求項１に記載の発明は、軽量鉄骨の天井下地構造における天井振れ止めシステムであって、
天井内にある構造部材の底面と対面する面を有する支持部と、その支持部から垂下する振れ止め材取付部とを有する支持部材と、
前記振れ止め材取付部に取り付けられる複数の振れ止め材とを備え、
前記支持部材には、前記支持部に複数の支持長孔が、前記振れ止め材取付部に複数の取付長孔がそれぞれ適宜間隔で形成されており、
前記支持部の前記支持長孔に係止金物を挿入して前記構造部材に係止して固定し、
前記複数の振れ止め材は、前記振れ止め材取付部の前記取付長孔の間隔をあけた箇所に、それぞれ前記振れ止め材の上端部を固定するとともに、その下端部に、天井面下地材に固定される耐震金具を取り付ける、
ことを特徴とする天井振れ止めシステムである。
【発明の効果】
【０００９】
前記構成により、この発明は、以下のような効果を有する。
【００１０】
請求項１に記載の発明では、天井内にある構造部材の底面と対面する面を有する支持部と、その支持部から垂下する振れ止め材取付部とを有する支持部材と、振れ止め材取付部に取り付けられる複数の振れ止め材とを備え、支持部材の支持部は、その支持長孔に係止金物を挿入して構造部材に係止して締め付けることにより簡単かつ確実に固定することができる。また、複数の振れ止め材は、振れ止め材取付部の取付長孔の間隔をあけた箇所に、それぞれ振れ止め材の上端部を固定するとともに、その下端部に天井面下地材に固定される耐震金具を取り付ける簡単な取付構造で、地震の揺れに同調して天井が揺れることを防止できる。また、広い天井面積を有する構造物でも、天井内にある構造部材を利用して支持することで、振れ止め材を短くすることができ、材料の無駄がなくなり、しかも振れ止め材や吊ボルトなどが天井内に錯綜して埋め尽くされることがなく、例えば設備配管などの自由な配置が可能で、耐震対策としての天井振れ止めを効率的かつ簡易に施工することができる。
【図面の簡単な説明】
【００１１】
【図１】広い天井面積を有する構造物や天井ふところが大きい構造物に実施の形態１の構造部材と耐震金具を施工した状態を示す斜視図である。
【図２】実施の形態１の天井振れ止めシステムを説明する図である。
【図３】実施の形態１の構造部材と支持部との固定及び振れ止め材取付部と複数の振れ止め材との固定を示す斜視図である。
【図４】実施の形態１の構造部材と支持部との固定を示す他の実施の形態の正面図である。
【図５】支持部材の他の実施の形態を示す図である。
【図６】実施の形態２の構造部材と支持部との固定を示す斜視図である。
【図７】実施の形態３の支持部材を示す図である。
【図８】実施の形態３の構造部材と支持部との固定を示す斜視図である。
【図９】実施の形態３の構造部材と支持部との固定を示す断面図である。
【図１０】実施の形態４の支持部材の振れ止め材取付部と振れ止め材を固定した状態を示す斜視図である。
【図１１】天井振れ止めシステムが実施される他の例を示す図である。
【発明を実施するための形態】
【００１２】
以下、この発明の天井振れ止めシステムの実施の形態について説明する。この発明の実施の形態は、発明の最も好ましい形態を示すものであり、この発明はこれに限定されない。
【００１３】
（実施の形態１）
この実施の形態の天井振れ止めシステムの構成を、図１乃至図４に基づいて説明する。在来工法による軽量鉄骨の天井下地構造は、図１に示すように、構造物２０が例えば集会施設、生産施設、体育館、劇場などの場合には、広い天井面積や大きい天井ふところを有する。この構造物２０の天井５０には、大型の野縁６を平行に所定幅で複数個配置し、この平行に配置した複数個の野縁６の間にはそれぞれ複数個の小型の野縁７を配置している。この大型の野縁６と小型の野縁７は、同じ高さで、かつ同じ長さになっている。大型の野縁６と小型の野縁７に対して直交する方向に複数個の野縁受８が配置されている。この大型の野縁６と野縁受８とは、クリップ１０で固定され、小型の野縁７と野縁受８とは、クリップ１１で固定されている。
【００１４】
この構造物２０の天井内には、梁下弦材などの構造部材６０が、多くが水平方向に設けられ、この構造部材６０はＨ型鋼やラチス形式の梁などで構成されているが、これに限定されない。天井下地構造では、野縁６，７と野縁受８は、既存のものが用いられ、鋼材やアルミ合金材などを採用することができるが、それらに限ることなく、在来工法による軽量鉄骨の天井下地構造に用いられるものであれば、どのような材質からなるものでもよい。
【００１５】
野縁７と野縁受８の交差部には、耐震金具Ａが固定され、耐震金具Ａは第１の金具１と第２の金具２により構成され、この第１の金具１と第２の金具２は、例えば鋼板などで成形された板材などからなる。この耐震金具Ａとしては、特願２００８−９３５２４号に記載の耐震補強金具が用いられるが、これに限定されず公知の耐震金具を用いることができる。
【００１６】
この軽量鉄骨の天井下地構造には、天井振れ止めシステムＢが備えられる。この天井振れ止めシステムＢは、図２及び図３に示すように、支持部材３と、複数の振れ止め材４とを備えている。
【００１７】
この実施の形態の支持部材３は、Ｌ型鋼を用いているが、断面コ字型鋼、Ｔ型鋼などを用いても良い。Ｌ型鋼からなる支持部材３は、構造部材６０の底面６０ａと対面する面状の支持部３ａと、この支持部３ａから垂下する面状の振れ止め材取付部３ｂを有する。支持部３ａには、適宜間隔で複数の支持長孔３ａ１が形成され、また振れ止め材取付部３ｂには、適宜間隔で複数の取付長孔３ｂ１が形成されている。支持長孔３ａ１と取付長孔３ｂ１は、支持部３ａと振れ止め材取付部３ｂの強度を確保するように１個の通し孔にしないで、適宜間隔で複数形成されている。
【００１８】
支持部材３は、その支持部３ａを構造部材６０の底面６０ａに当てがい、それぞれの対向する支持長孔３ａ１に係止金物であるフック金物５を下方から挿入し、その先端屈曲部５ａを構造部材６０の下側部材６０ｂに係止してフック金物５のナット５ｂによって締め付け、先端屈曲部５ａと支持部３ａとで構造部材６０の下側部材６０ｂを挟み込んで固定し、天井内にある構造部材６０の底面６０ａに支持部材３を取り付け固定する。
【００１９】
この実施の形態では、支持部３ａの支持長孔３ａ１と、振れ止め材取付部３ｂの取付長孔３ｂ１とが同じ位置に、同じ大きさで形成されており、リバーシブル利用が可能であり、作業者は支持部３ａでも、振れ止め材取付部３ｂでも天井内にある構造部材６０に取り付け固定することができ、支持部材３の取り付けが容易で施工性がよい。また、支持部３ａの支持長孔３ａ１と、振れ止め材取付部３ｂの取付長孔３ｂ１とは、その位置や大きさを変えることで、支持部３ａは構造部材６０に取り付け固定する専用とし、振れ止め材取付部３ｂは振れ止め材４を取り付ける専用としてもよい。
【００２０】
この実施の形態のそれぞれの振れ止め材４は、断面コ字型鋼を用いているが、平鋼、Ｉ型鋼などを用いても良い。この振れ止め材４の上端部４ａと下端部４ｂには、それぞれ取付孔４ａ１，４ｂ１が形成されており、支持部材３の振れ止め材取付部３ｂに形成された取付長孔３ｂ１の間隔をあけた箇所に、それぞれ振れ止め材４の上端部４ａを当てがう。それぞれ振れ止め材４の上端部４ａは、支持部材３の振れ止め材取付部３ｂを挟んで反対側に位置しており、それぞれの取付孔４ａ１と振れ止め材取付部３ｂの取付長孔３ｂ１にボルト８０を、座金８１を介して貫通させ、このボルト８０の先端にナット８２を螺着して固定する。それぞれの振れ止め材４は、下端部４ｂが交差するように斜め逆三角形状に配置し、支持部材３から垂下して取り付けられる。振れ止め材４の下端部４ｂを耐震金具Ａの第２の金具２に当てがい、取付孔４ｂ１にボルト６５を貫通し、ボルト６５の先端部にナット６６を螺着して耐震金具Ａの第２の金具２に締め付け固定して耐震金具Ａを取り付ける。
【００２１】
この実施の形態の支持部材３は、その支持長孔３ａ１にフック金物５を挿入して構造部材６０の底面６０ａにフック金物５の先端屈曲部５ａを係止して締め付けることにより簡単かつ確実に固定することができる。また、複数の振れ止め材４は、支持部材３の取付長孔３ｂ１の間隔をあけた箇所に、それぞれ振れ止め材４の上端部４ａを固定するとともに、その下端部４ｂに天井面下地材に固定される耐震金具Ａを取り付ける簡単な取付構造で、地震の揺れに同調して天井が揺れることを防止できる。
【００２２】
また、広い天井面積を有する構造物や天井ふところが大きい構造物２０でも、天井内にある構造部材６０を利用して支持部材３を取り付け、この支持部材３に耐震金具Ａを複数の振れ止め材４によって支持する簡単な取付構造で、地震の揺れに同調して天井が揺れることを防止できる。また、振れ止め材４を短くすることができ、材料の無駄がなくなり、しかも振れ止め部材４や吊ボルトが天井内に錯綜して埋め尽くされることがなく、例えば設備配管などの自由な配置が可能で、耐震対策としての天井振れ止めを効率的かつ簡易に施工することができる。
【００２３】
この振れ止め材４は、上端部４ａのナット８２を緩めた状態とすることで、ボルト８０が支持部材３の取付長孔３ｂ１に沿って自由にスライドして移動でき、天井５０と構造部材６０との高さや位置の調整が可能であり、構造部材６０を、設備配管などを避けて配置することができる。このように、振れ止め材４の斜めの配置位置を変える簡単な構成で、天井５０と構造部材６０との高さや位置の調整をすることができ、構造部材６０の微細な位置変更にも容易に対応することができる。
【００２４】
また、図２，図３の実施の形態では、構造部材６０の真下に耐震金具Ａが位置するように、支持部材３と、振れ止め材４とを配置しているが、図４の実施の形態では、支持部材３を長いものを用い、支持部材３を隣接する構造部材６０に掛け渡して固定し、支持部材３の適宜位置に振れ止め材４の上端部４ａを取り付け、下端部４ｂに耐震金具Ａを取り付けるようにしてもよい。
【００２５】
また、支持部材３は、図５に示すように構成することができる。この実施の形態の支持部材３は、図２，図３の実施の形態と同様に構成されるが、支持部３ａと振れ止め材取付部３ｂとの一部に凹み部３ｃを形成し、支持部３ａには平面の一部に曲面を形成している。この支持部材３は、パイプ状断面のラチス梁やスラブスペースフレーム下部などの構造部材６０の底面６０ａに支持部３ａの凹み部３ｃを当てがい、構造部材６０の上面から取付金具６１を当てがい、フック金物５を支持部３ａから挿入して取付金具６１にフック金物５の先端屈曲部５ａを係止して締め付けることによりパイプ状断面のラチス梁やスラブスペースフレーム下部などの構造部材６０に支持部材３を簡単かつ確実に固定することができる。
【００２６】
（実施の形態２）
この実施の形態の天井振れ止めシステムの構成を、図６に基づいて説明する。この実施の形態では、広い天井面積を有する構造物や天井ふところが大きい構造物２０には、梁下弦材などの構造部材６０が設けられる。この構造部材６０は、プレート６１と、このプレート６１に固定された補強プレート６２とから構成されている。支持部材３は、実施の形態１と同様に構成されるが、支持部材３の支持部３ａをプレート６１の底面に当てがい、それぞれの対向する両端部の支持長孔３ａ１にフック金物５を下方から挿入し、その先端屈曲部５ａをプレート６１の対向する端部６１ｂに係止してフック金物５のナット５ｂによって締め付け、先端屈曲部５ａと支持部材３とでプレート６１の端部６１ｂを挟み込んで固定し、天井内にあるプレート６１の底面に支持部材３を斜めに交差して取り付け固定する。
【００２７】
このように、支持部材３は、支持部３ａの両端部の支持長孔３ａ１を利用して構造部材６０に固定することで、支持部材３を構造部材６０に対して斜めにし、振れ止め部材が構造部材６０に対して平行あるいは直交しない場合でも対応することができる。
【００２８】
（実施の形態３）
この実施の形態の天井振れ止めシステムの構成を、図７乃至図９に基づいて説明する。
【００２９】
この実施の形態では、支持部材３が、図７に示すように、平面から見て十字形状に形成されており、その中央に交点がある。支持部材３は、鋼材で形成されたベース３ｅと、このベース３ｅに溶接された鋼材で形成されたプレート３ｆからなる。ベース３ｅは、平面から見て８角形の側壁３ｅ１を有する蓋状に形成され、天井部３ｅ２には円弧状の支持長孔３ａ１が４箇所に形成されている。プレート３ｆは、Ｔ型鋼で形成され、プレート３ｆの端部がベース３ｅの対向する４箇所の側壁３ｅ１に溶接で固定され、このそれぞれのプレート３ｆの振れ止め材取付部３ｂには取付長孔３ｂ１が複数形成されている。プレート３ｆは、Ｔ型鋼に限らず、断面コ字状の鋼材等でもよい。
【００３０】
この支持部材３は、図８及び図９に示すように、ベース３ｅの天井部３ｅ２の面とプレート３ｆの面とを梁下弦材などからなる構造部材６０の底面６０ａに当てがい、それぞれの支持長孔３ａ１にフック金物５を下方から挿入し、その先端屈曲部５ａを構造部材６０のフランジ部６０ｃに係止してフック金物５のナット５ｂによって締め付け、先端屈曲部５ａと天井部３ｅ２とで構造部材６０のフランジ部６０ｃを挟み込んで固定し、天井内にある構造部材６０の底面６０ａに支持部材３を取り付け固定する。
【００３１】
この実施の形態では、支持部材３のベース３ｅに円弧状の支持長孔３ａ１が４箇所に形成されているから、円弧状の支持長孔３ａ１に沿ってフック金物５を移動し、構造部材６０の幅に合わせて取付位置を調整することができる。
【００３２】
（実施の形態４）
この実施の形態の天井振れ止めシステムの構成を、図１０に基づいて説明する。この実施の形態では、支持部材３が、長いＴ型鋼３ｇと、この長いＴ型鋼３ｇの中央の両側に溶接された短いＴ型鋼３ｈから略十字形に構成されている。長いＴ型鋼３ｇには、支持部３ａに支持長孔３ａ１が複数形成され、短いＴ型鋼３ｈにも同様に支持部３ａに支持長孔３ａ１が複数形成されている。また、長いＴ型鋼３ｇには、振れ止め材取付部３ｂに取付長孔３ｂ１が複数形成され、短いＴ型鋼３ｈにも同様に振れ止め材取付部３ｂに取付長孔３ｂ１が複数形成されている。
【００３３】
この支持部材３は、長いＴ型鋼３ｇと、短いＴ型鋼３ｈとによって形成された支持部３ａを梁下弦材などからなる構造部材の交差する部分などの底面に当てがい、実施の形態１と同様に、構造部材の底面に支持部材３を取り付け固定する。この実施の形態の支持部３ａは、長いＴ型鋼３ｇと、短いＴ型鋼３ｈによって構成されているが、Ｔ型鋼に限らず、断面コ字状の鋼材等でもよい。
【００３４】
この支持部材３の４方向に設けられた取付長孔３ｂ１に、それぞれ振れ止め材４の上端部４ａを固定するとともに、その下端部４ｂに天井面下地材に固定される耐震金具を取り付ける。それぞれ振れ止め材４は、上端部４ａのナット８２を緩めた状態とすることで、ボルト８０が支持部材３の取付長孔３ｂ１に沿って自由にスライドして移動でき、天井と構造部材との高さや位置の調整が可能である。
（天井内にある構造部材の構造）
この天井振れ止めシステムＢは、天井内にある構造部材に実施され、この構造部材には特に制限がないが、図１１に示すような構造部材にも適用できる。図１１（ａ）は、ぶどう棚やキットウォーク１００を設置して構造部材とし、    
この構造部材に支持部材３を固定する。図１１（ｂ）は、梁せいが高い梁１０１を施工し、この梁１０１の下弦材を構造部材とし、この構造部材に支持部材３を固定する。図１１（ｃ）は、水平部材（ぶどう棚）１１０を低い位置に施工し、この水平部材（ぶどう棚）１１０を構造部材とし、この構造部材に支持部材３を固定する。図１１（ｄ）は、剛な吊り下げ材１３０を用いて水平部材１３１を低い位置に施工し、ワイヤー１３２で水平部材１３１の振れ止めを行い、この水平部材１３１を構造部材とし、この構造部材に支持部材３を固定する。
【産業上の利用可能性】
【００３５】
この発明は、軽量鉄骨の天井下地構造における天井振れ止めシステムに適用でき、簡単な取付構造で、地震の揺れに同調して天井が揺れることを防止できる。また、広い天井面積を有する構造物や天井ふところが大きい構造物でも、振れ止め材を短くすることができ、材料の無駄がなくなり、しかも振れ止め材や吊ボルトが天井内に交差して埋め尽くされることがなく、例えば設備配管などの自由な配置が可能で、耐震対策としての天井振れ止めを効率的かつ簡易に施工することができる。
【符号の説明】
【００３６】
Ａ  耐震金具
Ｂ  天井振れ止めシステム
１  第１の金具
２  第２の金具
３  支持部材
３ａ  支持部
３ａ１  支持長孔
３ｂａ  振れ止め材取付部
３ｂ１  取付長孔
４  振れ止め材
４ａ  振れ止め部材４の上端部
４ｂ  振れ止め部材４の下端部
４ａ１，４ｂ１  取付孔
５  フック金物
５ａフック金物５の先端屈曲部
５ｂ  フック金物５のナット
６，７  野縁
８  野縁受
２０  構造物
５０  天井
６０  構造部材
６０ａ  構造部材６０の底面
６０ｂ  構造部材６０の下側部材
６５，８０  ボルト
８１  座金
６６，８２  ナット
【図１】
2010190000.tif 000003
【図２】
2010190000.tif 000004
【図３】
2010190000.tif 000005
【図４】
2010190000.tif 000006
【図５】
2010190000.tif 000007
【図６】
2010190000.tif 000008
【図７】
2010190000.tif 000009
【図８】
2010190000.tif 000010
【図９】
2010190000.tif 000011
【図１０】
2010190000.tif 000012
【図１１】
2010190000.tif 000013